(57)【要約】      （修正有）【課題】準備に手間がかからず、綺麗な作品が制作可能となる美術用品を提供する。【解決手段】美術用品であるスクラッチボード１００では、先が尖った専用筆記具Ｔにより剥離層５をひっかくと、剥離層５が剥がれて着色層４が表面に現われる。着色層４の表面は、硬質の素材によりコーティングされているので、専用筆記具Ｔの先端により着色層４の色が剥がれることがない。専用筆記具Ｔで剥離層５を剥すことで線状のライン（スクラッチラインＬ）が表面に形成されるので、ユーザーは、自由に思い通りのデザインをスクラッチボード１００の表面に描くことができる。このスクラッチラインＬは、着色層４の色が現れて多様な色彩や模様を形成し、最終的に完成された作品は着色層４の色や模様とユーザーの表現したデザインが組み合わされて大変綺麗なものとなる。【選択図】図２
0003198839.tif 000002
【実用新案登録請求の範囲】
【請求項１】
厚紙又は樹脂シートの土台の表面上に、所定の複数の色彩を用いた印刷面を設け、この印刷面をコーティング層によりコーティングすることで着色層を形成すると共に、この着色層の上に剥離層がスクラッチインキにより形成されたことを特徴とする美術用品。
【請求項２】
更に、前記剥離層の表面には、印刷層が形成されていることを特徴とする請求項１に記載の美術用品。
【請求項３】
更に先端が尖った専用筆記具を有し、少なくとも前記先端が、前記コーティング層より硬質であることを特徴とする請求項１又は２に記載の美術用品。
【考案の詳細な説明】
【技術分野】
【０００１】
本考案は、スクラッチ技法と同様の美術技法を容易に実施して作品を制作可能とする美術用品に関するものである。
【背景技術】
【０００２】
従来から知られている美術用品は、硬質の厚紙に、微細な特殊白色陶土または美術用パステルなどで着色を行い、これをコーティングして固定して着色層を形成し、この着色層の表面に黒色層を設けたものである。黒色層は、特殊な黒インクやクレヨンで形成する。この黒色層を先端が尖ったペン等でひっかくことで当該黒色層が剥がれて、前記着色層が表面に現れる。これにより、着色層の色により線ができて、様々な絵等を描くことができる。
【０００３】
その他、類似の技術としては特許文献１に記載されたようなスクラッチシールが知られている。
【先行技術文献】
【特許文献】
【０００４】
【特許文献１】特開２００２−２９１８６
【考案の概要】
【考案が解決しようとする課題】
【０００５】
しかしながら、上記従来の美術用品では、厚紙に着色層を形成すると共にその表面に黒色層を形成しなければならず、準備に手間がかかるという問題点があった。更に、着色層のコーティングや黒色層の塗りが不十分であると、綺麗な作品ができないという問題点があった。また、黒色層の上に更に印刷を行うニーズがあるところ、黒色層の形成が不十分であると、表面への印刷品質が悪くなってしまうという問題点があった。本考案は、これらの問題点を解決するためになされたものである。
【課題を解決するための手段】
【０００６】
本考案の美術用品は、厚紙又は樹脂シートの土台の表面上に、所定の複数の色彩を用いた印刷面を設け、この印刷面をコーティング層によりコーティングすることで着色層を形成すると共に、この着色層の上に剥離層がスクラッチインキにより形成されたことを特徴とする。
【０００７】
また、前記剥離層の表面には、印刷層を形成しても良い。更に、先端が尖った専用筆記具を有し、少なくとも前記先端が、前記コーティング層より硬質となるようにしても良い。
【図面の簡単な説明】
【０００８】
【図１】本考案のスクラッチボードを示す断面図である。
【図２】本考案のスクラッチボードの使用状態を示す説明図である。
【図３】本考案のスクラッチボードの使用状態を示す説明図である。
【考案を実施するための形態】
【０００９】
本考案の美術用品であるスクラッチボード１００では、厚紙又は樹脂シートの土台１の表面上に、所定の複数の色彩を用いた絵柄、グラデーション、模様等を印刷し、この印刷面２をコーティング層３によりコーティングすることで着色層４を形成する。コーティング層３は、紫外線（ＵＶ）で硬化する樹脂により形成するのが好ましい。ＵＶコーティングによれば、塗膜表面の凹凸が少ないので上面への塗膜積層をきれいに行え、また、塗膜が硬いので高い耐磨耗性が得られる。更に、硬化時間が短く（数秒）であるため、製造に時間がかからない。
【００１０】
また、コーティング層３としては、前記印刷した面に、前記ＵＶコーティングに代えて、硬質塩ビ透明シートによるラミネートコーティングを施すようにしても良い。
【００１１】
前記着色層４の上には、従来の黒色層に相当する剥離層５が積層形成される。剥離層５は、例えばスクラッチインキを塗布することで形成する。膜厚は、数十μｍ程度である。スクラッチインキは、好ましくは揮発性有機化合物が１％未満の大豆インキで印刷される。大豆インキは、様々な色や模様を用いて形成でき、削りカスが出ないことから掃除の手間が省ける。また、スクラッチインキに通常の銀塗膜を用いる場合でも、当該銀塗膜の上に更に印刷を施すことが可能であるため、当該剥離層５は、様々な模様等のデザインを付加することが可能となる。
【００１２】
更に、前記剥離層５の表面には、印刷層６が形成される。印刷層６には、様々な模様、絵、文字、写真等が印刷される。これらの印刷は、通常のインクジェットプリンタで行うことができる。このため、印刷層６はユーザーが独自に形成するものであっても良い。なお、印刷層６は省略しても良い。
【００１３】
図２及び図３は、本考案のスクラッチボードの使用状態を示す説明図である。図２は、スクラッチラインＬに沿った断面模式図である。このスクラッチボード１００では、先が尖った専用筆記具Ｔにより前記剥離層５をひっかくと（図２の矢印Ａ方向）、当該剥離層５が剥がれて着色層４が表面に現われる。着色層４の表面は、硬質の素材によりコーティングされているので、専用筆記具Ｔの先端により着色層４の色が剥がれることがない。特に、専用筆記具Ｔの硬度を着色層４の硬度より低いものとすることで、コーティング層３による着色層４の保護を万全にできる。
【００１４】
専用筆記具Ｔで剥離層５を剥すことで線状のライン（スクラッチラインＬ）が表面に形成されるので、ユーザーは、自由に思い通りのデザインを当該スクラッチボード１００の表面に描くことができる。このスクラッチラインＬは、着色層４の色が現れて多様な色彩や模様を形成し、最終的に完成された作品は着色層４の色や模様とユーザーの表現したデザインＤが組み合わされて大変綺麗なものとなる。
【００１５】
スクラッチラインＬの太さは、用いる専用筆記具Ｔの先端の太さ若しくは幅により自在に決定できる。細い先端の専用筆記具Ｔを用いれば精密な描写が可能であり、太い先端又は幅広の先端の専用筆記具Ｔを用いれば大面積の剥離が可能である。
【００１６】
また、専用筆記具Ｔは、コーティング層３の硬度より低い硬度の材質からその先端が構成されているのが好ましい。これは着色層４を剥さないためであり、係る観点から専用筆記具Ｔの他にも、コーティング層３の硬度より低い材質の先端を持つ道具であれば使用に適する。なお、コーティング層３の硬度と同等でも、コーティング層３の厚さを例えば１００μｍ以上１ｍｍ以下程度にすることで、コーティング層３により着色層４を保護できるので、着色層４が剥がれるのを防止できる。
【００１７】
以上、このスクラッチボード１００では、既存の美術技法の準備の煩わしさが解消され、手軽に美術作品を製作できる。また、剥離層５は硬度の高いコーティング層３が施されているので、専用筆記具Ｔにより剥離層５を剥しても着色層４が剥がれることがなく、その結果、着色層４がスクラッチラインＬから表面に現れて作品を綺麗に描写できる。更に、スクラッチインクにより形成した剥離層５は、表面がなめらかである。このため、剥離層５の表面に様々な印刷が可能である。
【００１８】
このスクラッチボード１００は、子供の創作意欲や想像力の向上に資するものであり、学習教材としても利用可能である。大人は、このスクラッチボード１００を高い美術作品を製作できる道具として利用でき、サインボードなどの商業的使用等のその他多様な分野に利用することができる。
【００１９】
なお、前記印刷面２には、ホログラムを用いることができる（本考案ではホログラムも広義に印刷面２に含まれる）。このようにすれば、専用筆記具Ｔで剥離層５を剥したときにホログラムが表面に現れて独特の視覚効果が得られる。
【符号の説明】
【００２０】
１００  スクラッチボード
１  土台
２  印刷面
３  コーティング層
４  着色層
５  剥離層
６  印刷層
【図１】
0003198839.tif 000003
【図２】
0003198839.tif 000004
【図３】
0003198839.tif 000005